(57)【要約】【課題】仮配置した素材を把握するとともに、配置計画に変更があった場合でも、仮配置計画図を修正することによってその変更内容を反映可能とすることによって新聞紙面の制作効率の向上を図ること。【解決手段】本発明の新聞紙面の制作システムによれば、新聞紙面に掲載する少なくとも記事、画像、写真からなる複数の素材の素材情報を新聞紙面を構成する紙面上に配置することによって新聞紙面を制作するシステムにおいて、紙面に割り付けられた素材を、この紙面に対応する紙面データ上に仮配置するための仮配置枠領域を紙面データに設定する仮配置枠領域設定部５１と、仮配置枠領域設定部５１によって設定された仮配置枠領域と、この仮配置枠領域に仮配置される素材を識別する識別情報とを関連付けて管理する素材管理部５２とを備えている。【選択図】　　図１
2004005122.tif 000002
【特許請求の範囲】
【請求項１】
新聞紙面に掲載する素材の素材情報を前記新聞紙面を構成する紙面データ上に配置することによって新聞紙面を制作するシステムにおいて、前記紙面に割り付けられた素材を、この紙面に対応する紙面データ上に仮配置するための仮配置枠領域を、前記紙面データに設定する仮配置枠領域設定手段と、
前記仮配置枠領域設定手段によって設定された仮配置枠領域と、この仮配置枠領域に仮配置される素材の識別情報とを関連付けて管理する管理手段と
を備えた新聞紙面の制作システム。
【請求項２】
請求項１に記載の新聞紙面の制作システムにおいて、
前記管理手段によって前記仮配置枠領域と関連付けられた識別情報に対応する素材の素材情報を、この仮配置枠領域に割り付ける素材割付手段と、
前記素材割付手段によって仮配置枠領域に割り付けられた素材の素材情報を、この仮配置枠領域に配置する素材配置手段と
を付加した新聞紙面の制作システム。
【請求項３】
請求項２に記載の新聞紙面の制作システムにおいて、
前記素材割付手段によって前記仮配置枠領域に割り付けられた素材の素材情報の量と、この仮配置枠領域の配置可能素材情報量との差分量を算出する差分量算出手段と、
前記差分量算出手段によって算出された差分量を表示する差分量表示手段と
を付加した新聞紙面の制作システム。
【請求項４】
請求項３に記載の新聞紙面の制作システムにおいて、
前記差分量算出手段によって算出された差分量に基づいて、前記仮配置枠領域に仮配置された素材情報がこの仮配置枠領域からはみ出すことなく配置されるように、前記仮配置枠領域のサイズを調節するサイズ調節手段
を付加した新聞紙面の制作システム。
【請求項５】
コンピュータシステムを用いて、新聞の紙面に掲載する素材を各紙面に割り付け、前記割り付けられた素材の素材情報を、前記新聞紙面を構成する紙面データ上に配置することによって新聞紙面を制作するシステムに適用され、
前記紙面に割り付けられた素材を、この紙面に対応する紙面データ上に仮配置するための仮配置枠領域を、前記紙面データ上に設定する設定段階と、
前記紙面データ上に設定された仮配置枠領域に仮配置される素材の識別情報を、対応する仮配置枠領域に関連付けて管理する管理段階と、
前記識別情報と関連付けられた仮配置枠領域に、この識別情報に対応する素材を割り付ける割付段階と、
前記割り付けられた素材の素材情報を、対応する仮配置枠領域に配置する仮配置段階と
からなる新聞紙面における素材仮配置方法。
【請求項６】
請求項５に記載の新聞紙面における素材仮配置方法において、
前記割付段階において割り付けられた素材の素材情報の量と、この素材が割り付けられた仮配置枠領域の配置可能素材情報量との差分量を算出する差分量算出段階と、
前記差分量算出段階において算出された差分量に基づいて、前記仮配置枠領域に仮配置された素材情報が、この仮配置枠領域からはみ出すことなく配置されるように、前記仮配置枠領域のサイズを調節するサイズ調節段階とを備え、
前記仮配置段階では、前記サイズ調節段階においてサイズが調節された仮配置枠領域に、対応する素材情報を配置するようにした新聞紙面における素材仮配置方法。
【発明の詳細な説明】
【０００１】
【発明の属する技術分野】
本発明は、主に新聞社や印刷会社において使用される新聞紙面の制作システム、および紙面への素材の割り付け計画時に、素材を仮配置するための新聞紙面における素材仮配置方法に関する。
【０００２】
【従来の技術】
新聞は、記事、画像、あるいは写真といった素材を紙面上に配置することによって制作される。このような新聞紙面の制作は、従来から、図２２に示すようなシステム構成の新聞紙面制作システムを用いてなされている。
【０００３】
この新聞紙面制作システムは、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とによって構成されている。
【０００４】
記事入力／校正端末１は、記事の入力および校正を行うための端末であり、記者によって記事情報が入力されると、入力された記事情報は、この記事入力／校正端末１によって記事サーバ２に出力される。また、この記事入力／校正端末１によって、記事サーバ２に蓄積されている記事情報が取得される。この取得された記事情報は、記事入力／校正端末１を介してなされるオペレータ操作によって校正がなされ、更に校正された記事情報は、記事入力／校正端末１から記事サーバ２に再び出力される。
【０００５】
記事サーバ２では、このようにして記事入力／校正端末１から入力された記事情報の他に、図示しない通信回線を経由して通信社などから送信された記事情報も入力される。この記事情報もまた記事サーバ２に蓄積される。更に、記事入力／校正端末１からの校正要求に基づいて、蓄積している記事情報の中から要求のあった記事情報は、記事サーバ２から記事入力／校正端末１へと出力される。更に、記事サーバ２に蓄積されている記事情報は、オペレータ指示に基づいて組版編集サーバ６に出力される。
【０００６】
スキャナやディスプレイ等が備えられている画像入力／加工端末３では、画像データの入力および画像データの加工が行われる。入力された画像データは、画像入力／加工端末３から画像サーバ４へと出力される。また、オペレータから入力された画像データの加工操作入力に基づいて画像データの加工が行われ、加工された画像データは、この画像入力／加工端末３から画像サーバ４へと出力される。
【０００７】
画像入力／加工端末３から出力された画像データは、画像サーバ４に蓄積される。また、画像サーバ４に蓄積されている画像データは、画像入力／加工端末３から要求があると、画像入力／加工端末３に出力される。また、オペレータから指示があった場合には、組版編集サーバ６に出力される。
【０００８】
組版端末５は、オペレータが、記事、画像、および見出しのレイアウト編集を行うための操作入力を行う端末であり、各オペレータに対して１台ずつ備えられている。各オペレータは、自己が操作担当する組版端末５を操作することによってレイアウト編集作業を行っている。図２２では、代表的に１台の組版端末５のみを示しているが、勿論１台に限るものではない。組版端末５に操作入力されて作成された操作情報は、組版編集サーバ６に出力される。
【０００９】
組版編集サーバ６では、組版端末５から出力された操作情報に基づいて、紙面データ７１の編集作業が行われる。そして、このように組版編集サーバ６で編集作業がなされた紙面データ７１は、紙面データ格納部７に格納される。また、一旦格納された紙面データ７１が再び組版編集サーバ６へと読み出され、再び編集作業が行われた後に紙面データ格納部７に格納されることも可能である。
【００１０】
出力サーバ８では、組版端末５からの大刷／版下出力指示にしたがって、組版編集サーバ６から出力された紙面データ７１がドットデータに展開される。このように展開されたドットデータに基づいて、プリンタ／プロッタ９から大刷や版下が出力される。
【００１１】
【発明が解決しようとする課題】
しかしながら、このような従来の新聞紙面制作システムには、以下のような問題がある。
【００１２】
すなわち、新聞紙面の制作は、即時性が要求されるために、掲載予定の素材が一部しか揃っていない状態であっても、記事入力／校正端末１に記事が、画像入力／加工端末３に画像および写真が、ある程度搬入された時点でオペレータによって取捨選択され、仮配置がなされることによって、どの素材を紙面のどの位置に配置するかが確認されると共に、紙面全体のバランスや、見栄えが確認されている。このような仮配置を行う初めの作業として、例えば特開平１１−１５４２３９号公報で開示されているような仮配置計画図が作成されている。
【００１３】
この仮配置計画図もまた、素材が全て揃っている訳ではない状態で作成されるので、この通りに素材の配置がなされることは希である。たとえばニュース性の高い記事のように、時々刻々とその経過が変化しているような事件を扱った素材については、締め切り直前にならないと新聞紙面制作システムに搬入されないので、当初の仮配置計画から、実際の配置を大幅に変更する場合もある。
【００１４】
しかしながら、仮配置計画図は、専用の用紙に手書きで作成されており、一度作成された後には、修正されず、その後は利用されることはない。つまり、仮配置計画図は、オペレータが組版端末５を用いて行う仮配置作業の初期状態の紙面配置イメージを得るために利用されているにすぎない。上述したように、紙面の配置は、仮配置計画として計画された初期状態から変更になる場合がほとんどであるが、一旦組版端末５による紙面の配置作業が開始されると、その後変更があっても、オペレータが組版端末５を操作することによって、紙面上に素材情報が配置されている。
【００１５】
このような配置作業は、素材の配置が、仮配置計画図によって計画されたものから軽微にしか変更がなされていない場合であればさほど困難ではないものの、大幅に変更された場合には、変更に伴って配置作業も煩雑となるために、オペレータの負荷が大きくなり、新聞紙面の制作効率が低下するという問題がある。
【００１６】
本発明はこのような事情に鑑みてなされたものであり、仮配置計画図を作成および修正する機能と、仮配置計画に基づいて配置する素材を管理する機能と、仮配置計画図に素材情報を配置することによって紙面データ上に素材情報を配置する機能とを付加し、もって、仮配置された素材を把握することを可能とするとともに、配置計画に変更があった場合であっても、仮配置計画図を修正することによってその変更を反映することができ、もって、新聞紙面の制作効率の向上を図ることが可能な新聞紙面の制作システム、および新聞紙面における素材仮配置方法を提供することを目的とする。
【００１７】
【課題を解決するための手段】
上記の目的を達成するために、本発明では、以下のような手段を講じる。
【００１８】
すなわち、請求項１の発明は、新聞紙面に掲載する少なくとも記事、画像、写真からなる複数の素材の素材情報を新聞紙面を構成する紙面データ上に配置することによって新聞紙面を制作するシステムにおいて、紙面に割り付けられた素材を、この紙面に対応する紙面データ上に仮配置するための仮配置枠領域を、紙面データに設定する仮配置枠領域設定手段と、仮配置枠領域設定手段によって設定された仮配置枠領域と、この仮配置枠領域に仮配置される素材の識別情報とを関連付けて管理する管理手段とを備えている。
【００１９】
従って、請求項１の発明の新聞紙面の制作システムでは、以上のような手段を講じることにより、仮配置計画図を紙面データ上で作成することにより、配置計画に変更があった場合でも、この変更に伴う素材情報の紙面データ上への配置作業を容易に実施することができる。
【００２０】
請求項２の発明は、請求項１の発明の新聞紙面の制作システムにおいて、管理手段によって仮配置枠領域と関連付けられた識別情報に対応する素材の素材情報を、この仮配置枠領域に割り付ける素材割付手段と、素材割付手段によって仮配置枠領域に割り付けられた素材の素材情報を、この仮配置枠領域に配置する素材配置手段とを付加してなる。
【００２１】
従って、請求項２の発明の新聞紙面の制作システムでは、以上のような手段を講じることにより、仮配置枠領域に配置する素材が搬入された場合には、仮配置枠領域と素材との対応付けを取ることによって、仮配置枠領域における素材の搬入状況を容易に把握することができる。また、仮配置枠領域に、割り付けられた素材の素材情報を配置することによって、素材情報を紙面データ上に配置することができるので、新聞紙面の制作効率の向上を図ることができる。
【００２２】
請求項３の発明は、請求項２の発明の新聞紙面の制作システムにおいて、素材割付手段によって仮配置枠領域に割り付けられた素材の素材情報の量と、この仮配置枠領域の配置可能素材情報量との差分量を算出する差分量算出手段と、差分量算出手段によって算出された差分量を表示する差分量表示手段とを付加してなる。
【００２３】
従って、請求項３の発明の新聞紙面の制作システムでは、以上のような手段を講じることにより、仮配置枠領域に配置することが可能な素材情報量と、この仮配置枠領域に割り付けられた素材の素材情報の量との差分量を把握することができる。
【００２４】
請求項４の発明は、請求項３の発明の新聞紙面の制作システムにおいて、差分量算出手段によって算出された差分量に基づいて、仮配置枠領域に仮配置された素材情報がこの仮配置枠領域からはみ出すことなく配置されるように、仮配置枠領域のサイズを調節するサイズ調節手段を付加してなる。
【００２５】
従って、請求項４の発明の新聞紙面の制作システムでは、以上のような手段を講じることにより、割り付けられた素材の素材情報の量に応じて、仮配置枠領域のサイズを調節することができるので、新聞紙面の制作効率の向上を図ることができる。
【００２６】
請求項５の発明の新聞紙面における素材仮配置方法は、コンピュータシステムを用いて、新聞の紙面に掲載する素材を各紙面に割り付け、割り付けられた素材の素材情報を、新聞紙面を構成する紙面データ上に配置することによって新聞紙面を制作するシステムに適用され、紙面に割り付けられた素材を、この紙面に対応する紙面データ上に仮配置するための仮配置枠領域を、紙面データ上に設定する設定段階と、紙面データ上に設定された仮配置枠領域に仮配置される素材の識別情報を、対応する仮配置枠領域に関連付けて管理する管理段階と、識別情報と関連付けられた仮配置枠領域に、この識別情報に対応する素材を割り付ける割付段階と、割り付けられた素材の素材情報を、対応する仮配置枠領域に配置する仮配置段階とからなる。
【００２７】
従って、請求項５の発明の新聞紙面における素材仮配置方法では、以上のような手段を講じることにより、仮配置計画図を紙面データ上で作成することにより、配置計画に変更があった場合でも、この変更に伴う素材情報の紙面データ上への配置作業を容易に実施することができる。
【００２８】
また、仮配置枠領域に配置する素材が搬入された場合には、仮配置枠領域と素材との対応付けを取ることによって、仮配置枠領域における素材の搬入状況を容易に把握することができる。更に、仮配置枠領域に、割り付けられた素材の素材情報を配置することによって、素材情報を紙面データ上に配置することができるので、新聞紙面の制作効率の向上を図ることができる。
【００２９】
請求項６の発明は、請求項５の発明の新聞紙面における素材仮配置方法において、割付段階において割り付けられた素材の素材情報の量と、この素材が割り付けられた仮配置枠領域の配置可能素材情報量との差分量を算出する差分量算出段階と、差分量算出段階において算出された差分量に基づいて、仮配置枠領域に仮配置された素材情報が、この仮配置枠領域からはみ出すことなく配置されるように、仮配置枠領域のサイズを調節するサイズ調節段階とを備え、仮配置段階では、サイズ調節段階においてサイズが調節された仮配置枠領域に、対応する素材情報を配置する。
【００３０】
従って、請求項６の発明の新聞紙面における素材仮配置方法では、以上のような手段を講じることにより、仮配置枠領域に配置することが可能な素材情報量と、この仮配置枠領域に割り付けられた素材の素材情報の量との差分量を把握することができる。また、割り付けられた素材の素材情報の量に応じて、仮配置枠領域のサイズを調節することができるので、新聞紙面の制作効率の向上を図ることができる。
【００３１】
【発明の実施の形態】
以下に、本発明の実施の形態について図面を参照しながら説明する。
【００３２】
なお、以下の本発明の実施の形態の説明に用いる図中の符号は、図２２と同一部分については同一符号を付す。
【００３３】
本発明の実施の形態を図１から図２１を用いて説明する。
【００３４】
図１は、本発明の実施の形態に係る新聞紙面における素材仮配置方法を適用した新聞紙面制作システムの構成例を示す機能ブロック図である。
【００３５】
すなわち、本発明の実施の形態に係る新聞紙面の編集状況表示方法を適用した新聞紙面制作システムは、図２２に示す従来技術の新聞紙面制作システムと同様、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とを備えているが、更に、組版端末５に、仮配置枠領域設定部５１と、素材管理部５２と、差分量算出部５４と、差分量表示部５５と、サイズ調節部５６と、素材配置部５７とを備え、組版編集サーバ６に素材割付部６１を備えている。
【００３６】
したがって、ここでは、図２２と同一部分については同一符号を付してその説明を省略し、異なる部分についてのみ述べる。
【００３７】
仮配置枠領域設定部５１は、図２のフローチャートに示すように動作し、素材を各紙面に割り付け、紙面へ割り付けられた各素材を、紙面データ上に仮配置するための仮配置枠領域に関するデータである枠取り領域指示情報５８を作成する。すなわち、枠取り領域指示情報５８は、図３のデータ構成例に示すように、紙面毎の枠取り領域件数５８ＣＮ、この領域件数５８ＣＮに対応する数ｎの枠取り領域対角線座標５８ＷＤｎ、仮見出し５８ＫＭ、合い印５８ＡＳとからなる。
【００３８】
素材管理部５２は、このような枠取り領域の何れかに配置する素材構成情報５９を作成し、枠取り領域指示情報５８と関連付けて管理する部位である。この素材構成情報５９は、図４にそのデータ構成例を示すように、素材の掲載年月日５９ＫＮ、素材の搬入先の面名５９ＭＮ、素材の搬入先の版名５９ＨＮ、素材ＩＤ番号５９ＩＤ、素材種別５９ＳＢ、仮見出し５９ＫＭ、合い印５９ＡＳ、素材の実体データ５９ＪＴからなる。素材管理部５２は、具体的には、素材構成情報５９の仮見出し５９ＫＭおよび合い印５９ＡＳと、枠取り領域指示情報５８の仮見出し５８ＫＭおよび合い印５８ＡＳとが一致する素材構成情報５９と枠取り領域指示情報５８とを関連付けて管理する。
【００３９】
素材割付部６１は、図５のフローチャートに示すように動作し、素材管理部５２によって管理された枠取り領域指示情報５８および素材構成情報５９を、紙面データ７１に枠取り情報７１ＷＪとして取り込んで書き込む。
【００４０】
紙面データ７１は、図６から図１１に示すようなデータ構成例をしており、図６に示すような管理情報７１ＫＪと、図７に示すような枠取り情報７１ＷＪと、図８から図１０に示すような素材情報７１ＳＪと、図１１に示すような素材実体７１ＪＴとからなる。
【００４１】
管理情報７１ＫＪは、掲載年月日７１ＫＮ、面名７１ＭＮ、版名７１ＨＮ、体裁情報７１ＴＳ、紙面Ｘ方向寸法７１ＰＸ、紙面Ｙ方向寸法７１ＰＹとからなる。なお、体裁情報７１ＴＳとは、組方向、段数、字詰、文字サイズ、段間、行間などの定義情報である。
【００４２】
枠取り情報７１ＷＪは、各素材情報７１ＳＪ毎に対応する枠取り情報素材登録数７１ＥＮ１、枠取り領域指示情報５８の枠取り領域件数５８ＣＮに対応する枠取り領域件数７１ＣＮ、枠取り領域＃ｐ対角線座標５８ＷＤｐに対応する枠取り領域対角線座標７１ＷＤｐ、素材ＩＤ番号５９ＩＤに対応する割当素材ＩＤ番号７１ＩＤ、仮見出し５８ＫＭまたは仮見出し５９ＫＭに対応する仮見出し７１ＫＭ、合い印５８ＡＳまたは合い印５９ＡＳに対応する合い印７１ＡＳからなる。
【００４３】
素材情報７１ＳＪ（＃ｎ）は、例えば図８から図１０に示すように、素材（＃ｎ）毎に定義したデータであって、図８は「見出し記事ａ」、図９は「本文記事ｂ」、図１０は「写真ｃ」にそれぞれ相当する。このような素材情報７１ＳＪは、素材ＩＤ番号７１ＩＤＳと、素材種別７１ＳＢＳと、配置情報７１ＦＬＳと、素材寸法７１ＳＺＳと、配置位置情報７１ＬＭＳと、縦横寸法７１ＴＺＳと、仮見出し７１ＫＭＳと、合い印７１ＡＳＳと、テキストの格納アドレス情報ＡＤＳと、レイアウト済テキストの格納アドレス情報ＢＤＳとからなる。
【００４４】
これら素材情報７１ＳＪを構成している各データのうちの素材ＩＤ番号７１ＩＤＳと、素材種別７１ＳＢＳと、仮見出し７１ＫＭＳと、合い印７１ＡＳＳとは、掲載年月日、面名、版名が一致する素材構成情報５９の対応するデータ（素材ＩＤ番号５９ＩＤと、素材種別５９ＳＢと、仮見出し５９ＫＭと、合い印５９ＡＳ）をコピーして書き込む。
【００４５】
素材実体７１ＪＴは、実際に紙面に掲載されるデータであって、記事であればテキストデータ、写真であれば画像データに相当する。これらは、素材構成情報５９に書き込まれた各データを、紙面データ７１に登録された各素材情報７１ＳＪに対応させて格納している。すなわち、＃１素材情報である「見出し記事ａ」のデータはテキスト７１ＴＸ（＃１），７１ＬＸ（＃１）として、＃２素材情報である「見出し記事ｂ」のデータはテキスト７１ＴＸ（＃２），７１ＬＸ（＃２）として、「画像ｃ」のデータは表示画データ７１ＨＩ（＃３）および実画像データ７１ＲＩ（＃３）として格納している。
【００４６】
差分量算出部５４は、図１２および図１３のフローチャートに示すように動作し、素材割付部６１によって紙面データ７１に割り付けられた素材情報７１ＳＪの素材寸法７１ＳＺＳから得られる面積と、対応する枠取り領域面積との差分量を算出し、差分量表示部５５は、差分量算出部５４によって算出された差分量を例えば行数に変換して、図１４および図１５に例示するように表示する。
【００４７】
図１４において、紙面１０内に矩形に囲まれた各枠取り領域１２には、図中◎印で示す仮見出し７１ＫＭＳと、図中△印で示す合い印７１ＡＳＳと、図中□印で示す素材ＩＤ番号７１ＩＤＳと、同一素材が複数の枠取り領域１２にまたがって配置されている場合には、全体における順番を示す分数表示とを表示している。なお、図中□印で示す素材ＩＤ番号７１ＩＤＳが表示されていない素材は、この素材の素材情報７１ＳＪは未搬入であり、紙面データ７１に未だ登録されていないことを示している。
【００４８】
更にその下に差分量を、図中に示すように四角枠で囲って表示している。例えば、「＋１０行」の場合、この枠取り領域１２に、割り付けられた素材情報を全て配置するためには１０行分不足していることを示している。逆に、「−３行」の場合、この枠取り領域１２に、割り付けられた素材情報を全て配置した場合には、３行余ることを示している。
【００４９】
図１５は、図１４中に示すような四角枠による表示に替えて、差分量を視覚的に表示した例であり、図１５（ａ）に示すように「−５行」と表示している場合は、この枠取り領域１２に、割り付けられた素材情報を全て配置した場合には、５行余ることを示している。一方、図１５（ｂ）に示すように「＋３行」と表示している場合は、この枠取り領域１２に、割り付けられた素材情報を全て配置した場合には、３行不足していることを示している。
【００５０】
サイズ調節部５６は、図１６および図１７のフローチャートに示すように、差分量算出部５４によって算出された差分量に基づいて、枠取り領域内に素材情報７１ＳＪが配置されるように、枠取り領域のサイズを調節する。そして、調節した結果に基づいて、対応する枠取り情報７１ＷＪの枠取り領域対角線座標７１ＷＤｐの値を変更する。
【００５１】
素材配置部５７は、図１８から図２０のフローチャートに示すように、素材割付部６１によって割り付けられた素材の素材情報７１ＳＪを、対応する枠取り領域に配置する。枠取り領域のサイズがサイズ調節部５６によって調節された場合には、調節された枠取り領域に、対応する素材の素材情報７１ＳＪを配置する。
【００５２】
次に、以上のように構成した本発明の実施の形態に係る新聞紙面における素材仮配置方法を適用した新聞紙面制作システムの動作について説明する。
【００５３】
本発明の実施の形態に係る新聞紙面における素材仮配置方法を適用した新聞紙面制作システムによって素材を仮配置する場合には、まず、オペレータによって、図３にその一例を示すような枠取り領域指示情報５８の枠取り領域対角線座標５８ＷＤｐが決定される。そして、決定された枠取り領域対角線座標５８ＷＤｐが、紙面データ７１の枠取り情報７１ＷＪの枠取り領域対角線座標７１ＷＤｐと重なるか否かがチェックされる（Ｓ１）。重なる場合（Ｓ２：Ｙｅｓ）には、組版端末５の図示しない表示画面から警告メッセージが表示され（Ｓ３）、枠取り領域対角線座標５８ＷＤｐの再設定が促される。
【００５４】
一方、重ならない場合（Ｓ２：Ｎｏ）には、紙面データ７１に、新規に素材情報７１ＳＪが追加され、更に、オペレータによって、枠取り領域指示情報５８の枠取り領域件数５８ＣＮ、仮見出し５８ＫＭ、合い印５８ＡＳが設定される（Ｓ４）。
【００５５】
そして、設定された枠取り領域件数５８ＣＮ、枠取り領域対角線座標５８ＷＤ、仮見出し５８ＫＭ、合い印５８ＡＳが、図示しない表示画面からレイアウト表示される（Ｓ５）。これによって、作成された枠取り領域指示情報５８の内容がオペレータによって確認される。
【００５６】
次に、素材管理部５２によって、図４にそのデータ構成例を示すような素材構成情報５９がオペレータ操作によって作成され、枠取り領域指示情報５８と素材構成情報５９とが、素材管理部５２によって関連付けられる。
【００５７】
素材管理部５２によって互いに関連付けられた枠取り領域指示情報５８および素材構成情報５９は、素材割付部６１によって、枠取り情報７１ＷＪに書き込まれる。この動作を図５に示すフローチャートを用いて説明する。
【００５８】
この場合、まず、素材割付部６１によって、素材構成情報５９に書き込まれている掲載年月日５９ＫＮ、面名５９ＭＮ、版名５９ＨＮに対応する紙面データ７１が、紙面データ格納部７から取得される（Ｓ１１）。次に、取得された紙面データ７１の枠取り情報７１ＷＪの中から、素材構成情報５９の仮見出し５９ＫＭおよび合い印５９ＡＳに一致する素材が検索される（Ｓ１２）。
【００５９】
そして、仮見出し５９ＫＭおよび合い印５９ＡＳと一致する素材が存在する場合（Ｓ１３：Ｙｅｓ）には、枠取り情報７１ＷＪの対応する割当ＩＤ番号７１ＩＤに、該当する素材構成情報５９の素材ＩＤ番号５９ＩＤのデータが書き込まれ（Ｓ１４）、ステップＳ１５に進む。
【００６０】
一方、素材構成情報５９の仮見出し５９ＫＭおよび合い印５９ＡＳと一致する素材が存在しない場合（Ｓ１３：Ｎｏ）には、紙面データ７１に新規の素材情報７１ＳＪが追加され、追加された素材情報７１ＳＪに素材ＩＤ番号７１ＩＤＳ、素材種別７１ＳＢＳ、仮見出し７１ＫＭＳ、合い印７１ＡＳＳが、素材構成情報５９の素材ＩＤ番号５９ＩＤ、素材種別５９ＳＢ、仮見出し５９ＫＭ、合い印５９ＡＳからコピーされることによって書き込まれ（Ｓ１５）、ステップＳ１６に進む。
【００６１】
ステップＳ１６では、紙面データ７１の素材実体７１ＪＴにテキストデータあるいは画像データといった実体データが書き込まれる。また、これら実体データが書き込まれた格納アドレス情報が、対応する素材情報７１ＳＪの格納アドレス情報７１ＡＤ、７１ＢＤに書き込まれる（Ｓ１６）。このようにして、枠取り領域指示情報５８および素材構成情報５９の内容が、紙面データ７１に書き込まれる。
【００６２】
更に、このようにして紙面データ７１に書き込まれた素材の素材寸法７１ＳＺＳに基づく面積と、対応する枠取り領域の面積との差分量が、図１２および図１３のフローチャートに示すように、差分量算出部５４によって算出される。
【００６３】
まず、紙面データ７１の枠取り情報７１ＷＪのうち、第１の素材が対象とされる（Ｓ２１）。次に、対象とされている素材の割当素材ＩＤ番号７１ＩＤが存在するか否かが確認される（Ｓ２２）。そして、存在する場合（Ｓ２２：Ｙｅｓ）には、該当する素材の割当素材ＩＤ番号７１ＩＤに対応する素材情報７１ＳＪが検索され（Ｓ２３）、ステップＳ２４に進む。一方、存在しない場合（Ｓ２２：Ｎｏ）には、後述するステップＳ２８に進む。
【００６４】
ステップＳ２４では、ステップＳ２３で検索された素材情報７１ＳＪの素材寸法７１ＳＺＳに基づいて、下記（１）式によって素材自身の換算行数が計算される（Ｓ２４）。更に、枠取り情報７１ＷＪの対応する枠取り領域対角線座標７１ＷＤｐに基づいて、縦方向および横方向の寸法が算出され、この算出結果を、下記（２）式に代入することによって枠取り領域の換算行数が計算される（Ｓ２５）。
【００６５】
Ｋｓ＝Ｓｔ×（Ｓｙ＋Ｇｙ）／（（Ｍｙ＋Ｇｙ）×Ｄｔ）・・・（１）
Ｋｗ＝Ｗｔ×（Ｗｙ＋Ｇｙ）／（（Ｍｙ＋Ｇｙ）×Ｄｔ）・・・（２）
ここで、
Ｋｓ：素材自身の換算係数
Ｋｗ：枠取り領域の換算係数
Ｓｔ：素材の縦方向寸法
Ｗｔ：枠取り領域の縦方向寸法
Ｓｙ：素材の横方向寸法
Ｗｙ：枠取り領域の横方向寸法
Ｇｙ：１行分の行間の横方向寸法
Ｍｙ：１行分の文字の横方向寸法
Ｄｔ：１段分の縦方向寸法
である。
【００６６】
そして、ステップＳ２５で計算された枠取り領域の換算行数から、ステップＳ２４で計算された素材自身の換算行数が減じられることによって、差分行数が求められ（Ｓ２６）、図１４または図１５に示すように、差分行数が分かるようにレイアウト画面上に表示される（Ｓ２７）。
【００６７】
そして、枠取り情報７１ＷＪの全ての素材に対して処理がなされたかが確認され（Ｓ２８）、枠取り情報７１ＷＪの全ての素材に対して処理がなされた場合（Ｓ２８：Ｙｅｓ）には処理を終了し、そうでない場合（Ｓ２８：Ｎｏ）には、枠取り情報７１ＷＪの次の素材が対象とされ（Ｓ２９）、ステップＳ２２に移行する。
【００６８】
このようにして、枠取り情報７１ＷＪの全ての素材に対して、枠取り領域の換算行数と、素材自身の換算行数との差分行数が求められ、更に、図１４または図１５に示すように、差分行数が分かるようにレイアウト画面上に表示される。
【００６９】
このようにして求められた差分行数に基づいて、サイズ調節部５６では、枠取り領域内に素材情報が配置されるように、枠取り領域のサイズが調節される。この調節方法について、図１６および図１７のフローチャートを用いて説明する。
【００７０】
枠取り領域内に素材情報が配置されるようにサイズを調節する場合には、まず、オペレータが、サイズ調節部５６に対して、サイズを調節する位置を指定する。位置が指定されると、サイズ調節部５６によって、この位置に対応する紙面データ７１の枠取り情報７１ＷＪの素材が検索される（Ｓ３１）。
【００７１】
そして、対応する素材が存在しない場合（Ｓ３２：Ｎｏ）には、組版端末５の図示しない表示画面から警告メッセージが表示され（Ｓ３３）、処理が終了する。一方、対応する素材が存在する場合（Ｓ３２：Ｙｅｓ）には、該当する素材の割当素材ＩＤ番号７１ＩＤに対応した素材情報７１ＳＪが検索される（Ｓ３４）。
【００７２】
そして、検索された素材情報７１ＳＪの該当する素材の素材寸法７１ＳＺＳに基づいて、この素材の面積Ｓが算出される（Ｓ３５）。更に、枠取り情報７１ＷＪ内の１個分の枠取り領域対角線座標７１ＷＤｐに基づいて算出される面積が合計されることによって、枠取り領域の全体面積Ｔが算出される（Ｓ３６）。
【００７３】
更に、ステップＳ３６で算出された全体面積Ｔから、ステップＳ３５で算出された面積Ｓを減じることによって、面積差Ｚが算出される（Ｓ３７）。そして、ステップＳ３７で算出された面積差Ｚがない（Ｚ＝０）場合（Ｓ３８：Ｙｅｓ））には、処理を終了する一方、面積差Ｚがある（Ｚ≠０）場合（Ｓ３８：Ｎｏ）には、対応する素材の枠取り領域件数７１ＣＮによって面積差Ｚが除される（Ｓ３９）。
【００７４】
そして、除された結果であるｄｆが、ｄｆ＞０　である場合（Ｓ４０：Ｙｅｓ）には、対応する素材の枠取り領域対角線座標７１ＷＤｐが変更され、１個分の枠取り領域の面積がｄｆだけ小さくなるような処理、すなわち、横方向寸法のみを短くするような処理が、この素材の全ての枠取り領域対角線座標７１ＷＤｐに対してなされる（Ｓ４１）。
【００７５】
更に、ステップＳ４１で処理がなされた枠取り領域に隣接する全ての枠取り領域に対して、ステップＳ４１の処理によって発生した空白を吸収するように、横方向寸法が長くなるように枠取り領域対角線座標７１ＷＤｐの値が調節される（Ｓ４２）。
【００７６】
一方、ステップＳ３９で得られたｄｆが、ｄｆ≦０　である場合（Ｓ４０：Ｎｏ）には、対応する素材の枠取り領域対角線座標７１ＷＤｐが変更され、１個分の枠取り領域の面積がｄｆだけ大きくなるような処理、すなわち、横方向寸法のみを長くするような処理が、この素材の全ての枠取り領域対角線座標７１ＷＤｐに対してなされる（Ｓ４３）。
【００７７】
更に、ステップＳ４３で処理がなされた枠取り領域に隣接する全ての枠取り領域に対して、ステップＳ４１の処理によって発生した重なりを回避するように、横方向寸法が短くなるように枠取り領域対角線座標７１ＷＤｐの値が調節される（Ｓ４４）。
【００７８】
このようにして、サイズ調節部５６では、枠取り領域内に素材情報が配置されるように、枠取り領域のサイズが調節される。
【００７９】
素材割付部６１によって割り付けられた素材の素材情報は、素材配置部５７によって、図１８から図２０のフローチャートに示すように、対応する枠取り領域に配置される。なお、枠取り領域のサイズがサイズ調節部５６によって調節された場合には、調節された枠取り領域に素材情報が配置される。
【００８０】
まず、紙面データ７１の枠取り情報７１ＷＪのうち、第１の素材が対象とされる（Ｓ５１）。次に、対象とされている素材の割当素材ＩＤ番号７１ＩＤが存在するか否かが確認される（Ｓ５２）。そして、存在する場合（Ｓ５２：Ｙｅｓ）には、該当する素材の割当素材ＩＤ番号７１ＩＤに対応する素材情報７１ＳＪが検索され（Ｓ５３）、ステップＳ５４に進む。一方、存在しない場合（Ｓ５２：Ｎｏ）には、後述するステップＳ５５に進む。
【００８１】
ステップＳ５４では、ステップＳ５３で検索された素材情報７１ＳＪの素材種別７１ＳＢＳが確認される。そして、素材種別７１ＳＢＳが「記事」である場合（Ｓ５４：Ｙｅｓ）には、ステップＳ５５に進む。一方、素材種別７１ＳＢＳが「記事」ではない場合（Ｓ５４：Ｎｏ）には、ステップＳ６０に進む。
【００８２】
ステップＳ５５では、「記事」のテキストが読み出され、枠取り領域内に配置されることによってレイアウト済みテキスト７１ＬＸが作成される。更に、この作成されたレイアウト済みテキスト７１ＬＸが紙面データ７１の素材実体７１ＪＴに登録され、素材情報７１ＳＪのレイアウト済テキストの格納アドレス情報７１ＢＤＳが設定される（Ｓ５５）。
【００８３】
更にまた、該当する素材の素材情報７１ＳＪの配置情報７１ＦＬＳ、配置位置情報７１ＬＭＳ、縦横寸法７１ＴＺＳが設定され（Ｓ５６）、この設定に基づくレイアウト画面が表示される（Ｓ５７）。図２１は、このように表示されたレイアウト画面の一例を示すものであって、紙面１０内に矩形に囲まれた各枠取り領域１２には、図中◎印で示す仮見出し７１ＫＭＳと、図中△印で示す合い印７１ＡＳＳと、図中□印で示す素材ＩＤ番号７１ＩＤＳと、同一素材が複数の枠取り領域１２にまたがって配置されている場合には、全体における順番を示す分数表示とを表示している。なお、図中□印で示す素材ＩＤ番号７１ＩＤＳが表示されていない素材は、この素材の素材情報７１ＳＪは未搬入であり、紙面データ７１に未だ登録されていないことを示している。
【００８４】
そして、枠取り情報７１ＷＪの全ての素材に対して処理がなされたかが確認され（Ｓ５８）、枠取り情報７１ＷＪの全ての素材に対して処理がなされた場合（Ｓ５８：Ｙｅｓ）には、処理を終了し、そうでない場合（Ｓ５８：Ｎｏ）には、枠取り情報７１ＷＪの次の素材が対象とされ（Ｓ５９）、ステップＳ５２に移行する。
【００８５】
ステップＳ６０では、紙面データ７１の該当素材の素材情報７１ＳＪの配置情報７１ＦＬＳ、配置位置情報７１ＬＭＳ、縦横寸法７１ＴＺＳが設定される（Ｓ６０）。そして、ステップＳ６０で設定された紙面データ７１に基づいて、図２１に示すようなレイアウト画面が表示され（Ｓ６１）、その後ステップＳ５８に進む。このようにして、各素材が枠取り領域１２に配置された状態が表示される。
【００８６】
上述したように、本発明の実施の形態に係る新聞紙面における素材仮配置方法を適用した新聞紙面制作システムにおいては、上記のような作用により、従来手書きで作成していた仮配置計画図に相当するものを画面上に作成することにより、その作成作業の効率化を図ることができるのみならず、データを修正することにより、仮配置計画の変更があった場合でも、容易に修正し、実際に素材情報の配置作業までも行うことができるので、素材配置作業の効率化をも図ることができる。
【００８７】
また、枠取り領域に、対応する素材が搬入された場合には、枠取り領域と素材との対応付けを取ることによって、素材の割付状況を容易に把握することができる。更に、枠取り領域に配置可能な素材情報量と、この枠取り領域に割り付けられた素材の素材情報の量との相違を把握することができるのみならず、その相違量に応じて、枠取り領域のサイズを調節することができるので、新聞紙面の制作効率の向上することが可能となる。
【００８８】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００８９】
【発明の効果】
以上説明したように、本発明によれば、仮配置計画図を作成および修正する機能と、仮配置計画に基づいて配置する素材を管理する機能と、仮配置計画図に素材情報を配置することによって紙面データ上に素材情報を配置する機能とを備えている。
【００９０】
これらの機能によって、仮配置された素材を把握することを可能とするとともに、配置計画に変更があった場合であっても、仮配置計画図を修正することによってその変更を反映することができ、もって、新聞紙面の制作効率の向上を図ることが可能な新聞紙面の制作システム、および新聞紙面における素材仮配置方法を実現することができる。
【図面の簡単な説明】
【図１】本発明の実施の形態に係る新聞紙面における素材仮配置方法を適用した新聞紙面制作システムの構成例を示す機能ブロック図
【図２】仮配置枠領域設定部の動作を示すフローチャート
【図３】枠取り領域指示情報の一例を示すデータ構成図
【図４】素材情報の一例を示すデータ構成図
【図５】素材割付部の動作を示すフローチャート
【図６】紙面データの管理情報の一例を示すデータ構成図
【図７】紙面データの枠取り情報の一例を示すデータ構成図
【図８】紙面データの素材情報の一例を示すデータ構成図（見出し記事ａ）
【図９】紙面データの素材情報の一例を示すデータ構成図（本文記事ｂ）
【図１０】紙面データの素材情報の一例を示すデータ構成図（写真ｃ）
【図１１】紙面データの素材実体の一例を示すデータ構成図
【図１２】差分量算出部の動作を示すフローチャート（その１）
【図１３】差分量算出部の動作を示すフローチャート（その２）
【図１４】差分量表示部によって表示される差分量の表示例を示す模式図
【図１５】差分量表示部によって表示される差分量の別の表示例を示す模式図
【図１６】サイズ調節部の動作を示すフローチャート（その１）
【図１７】サイズ調節部の動作を示すフローチャート（その２）
【図１８】素材配置部の動作を示すフローチャート（その１）
【図１９】素材配置部の動作を示すフローチャート（その２）
【図２０】素材配置部の動作を示すフローチャート（その３）
【図２１】素材配置部によって配置されたレイアウト画面の一例を示す模式図
【図２２】従来技術による新聞紙面制作システムを示す機能構成図
【符号の説明】
１…記事入力／校正端末
２…記事サーバ
３…画像入力／加工端末
４…画像サーバ
５…組版端末
６…組版編集サーバ
７…紙面データ格納部
８…出力サーバ
９…プリンタ／プロッタ
１０…紙面
１２…枠取り領域
５１…仮配置枠領域設定部
５２…素材管理部
５３…素材配置部
５４…差分量算出部
５５…差分量表示部
５６…サイズ調節部
５７…素材配置部
５８…枠取り領域指示情報
５９…素材構成情報
６１…素材割付部
７１…紙面データ
【図１】
2004005122.tif 000003
【図２】
2004005122.tif 000004
【図３】
2004005122.tif 000005
【図４】
2004005122.tif 000006
【図５】
2004005122.tif 000007
【図６】
2004005122.tif 000008
【図７】
2004005122.tif 000009
【図８】
2004005122.tif 000010
【図９】
2004005122.tif 000011
【図１０】
2004005122.tif 000012
【図１１】
2004005122.tif 000013
【図１２】
2004005122.tif 000014
【図１３】
2004005122.tif 000015
【図１４】
2004005122.tif 000016
【図１５】
2004005122.tif 000017
【図１６】
2004005122.tif 000018
【図１７】
2004005122.tif 000019
【図１８】
2004005122.tif 000020
【図１９】
2004005122.tif 000021
【図２０】
2004005122.tif 000022
【図２１】
2004005122.tif 000023
【図２２】
2004005122.tif 000024